(57)【特許請求の範囲】
【請求項１】
消費者が、不要になったエアゾール製品を、消費者と産廃業者との間に介在する、回収ステーションに持ち込み、該回収ステーションに持ち込まれたエアゾール製品を配送および産廃処理代金と引き換えに当該回収ステーションにおいて回収した後、該産廃業者の廃棄ステーションに配送し、該廃棄ステーションにおいて前記エアゾール製品を廃棄するエアゾール製品の廃棄方法であって、
前記回収ステーションが所定の地域ごとに設置され、前記エアゾール製品を前記回収ステーションから前記廃棄ステーションへ配送する配送手段を含み、
該配送手段に設けられ、前記エアゾール製品の情報がコード化され、前記エアゾール製品または該エアゾール製品が梱包されたパッケージに付された情報コードを読み取るバーコード読取手段と、該配送手段に設けられ、前記バーコード読取手段により読み取られた情報に基づき、エアゾール製品の選別情報を引き出すコンピュータを含んでなる廃棄システムを用いて、
（ｉ）前記回収ステーションにおいて、配送および産廃処理代金と引き換えに、前記エアゾール製品が回収される工程、
（ii）前記配送手段において、前記情報コードが前記バーコード読取手段により読み取られ、該バーコード読取手段により読み取られた情報が、前記コンピュータに入力される工程、
（iii）前記コンピュータに入力された情報に基づいて、前記コンピュータからエアゾール製品の選別情報が引き出される工程、
（iv）前記配送手段において、前記コンピュータから引き出された情報に基づいて、前記エアゾール製品が仕分けられ、エアゾール製品に関する情報が確認できる情報ラベルが設けられた専用パッケージに梱包される工程、
（ｖ）前記梱包されたエアゾール製品が、前記回収ステーションから前記廃棄ステーションに配送される工程および
（vi）前記エアゾール製品が前記廃棄ステーションで廃棄処理される工程を実行する
ことを特徴とするエアゾール製品の廃棄方法。
【発明の詳細な説明】
【０００１】
【発明の属する技術分野】
本発明は製品の廃棄方法および廃棄システムに関する。さらに詳しくは不要になったエアゾール製品などの製品を安全かつ確実に廃棄処理することができ、しかも廃棄処理にかかる費用を消費者に確実に負担させることができる製品の廃棄方法および廃棄システムに関する。
【０００２】
【従来の技術および発明が解決しようとする課題】
日常的な家庭内のゴミは、自治体が定期的に収集し、処理している。しかし、タンス、ソファーなどの粗大ゴミや処理し難いゴミは、一般の収集ゴミとして回収されず、あらかじめ市役所などに連絡し、通常有料で処理されている。
【０００３】
一方、ヘアスプレーや殺虫スプレーなどのエアゾール製品の場合は、使い切ったのちに金属材料などからなる容器をリサイクルするために資源ゴミとして取り扱われている。しかし、引っ越しや大掃除などで、使い切ってない不要となったエアゾール製品が生じる場合がある。この場合、内容物を排出し、資源ゴミとして処理できるようにすべきであるが、時間の都合や手間がかかるなどの問題があり、ゴミとしてそのまま捨てることができず、処分に困っていた。もし、エアゾール製品を中身の残ったままの状態で捨てれば、回収車や処分場で破裂や引火する惧れがあり、危険である。
【０００４】
また、従来のエアゾール製品の流通形態においては、図５の実線の矢印で示されるように、メーカー３２から消費者３１への新品のエアゾール製品の供給、メーカー３２から産廃業者３３への残庫や使用済のエアゾール製品の配送、および産廃業者３３からメーカー３２への再生用原料の供給の３方向の流れがある。
【０００５】
しかし、消費者３１からメーカー３２への使用済のエアゾール製品の直接回収は、現在のところ行なわれておらず、使用済エアゾール製品の廃棄処理は消費者に任されていた。
【０００６】
本発明はかかる問題を解消するためになされたものであり、不要になったエアゾール製品などの製品を安全かつ確実に廃棄処理することができ、しかも廃棄処理にかかる費用を消費者に確実に負担させることができる製品の廃棄方法および廃棄システムを提供することを目的とする。
【０００７】
【課題を解決するための手段】
本発明の製品の廃棄方法は、消費者が、不要になったエアゾール製品を、消費者と産廃業者との間に介在する、回収ステーションに持ち込み、該回収ステーションに持ち込まれたエアゾール製品を配送および産廃処理代金と引き換えに当該回収ステーションにおいて回収した後、該産廃業者の廃棄ステーションに配送し、該廃棄ステーションにおいて前記エアゾール製品を廃棄するエアゾール製品の廃棄方法であって、前記回収ステーションが所定の地域ごとに設置され、前記エアゾール製品を前記回収ステーションから前記廃棄ステーションへ配送する配送手段を含み、該配送手段に設けられ、前記エアゾール製品の情報がコード化され、前記エアゾール製品または該エアゾール製品が梱包されたパッケージに付された情報コードを読み取るバーコード読取手段と、該配送手段に設けられ、前記バーコード読取手段により読み取られた情報に基づき、エアゾール製品の選別情報を引き出すコンピュータを含んでなる廃棄システムを用いて、（ｉ）前記回収ステーションにおいて、配送および産廃処理代金と引き換えに、前記エアゾール製品が回収される工程、（ii）前記配送手段において、前記情報コードが前記バーコード読取手段により読み取られ、該バーコード読取手段により読み取られた情報が、前記コンピュータに入力される工程、（iii）前記コンピュータに入力された情報に基づいて、前記コンピュータからエアゾール製品の選別情報が引き出される工程、（iv）前記配送手段において、前記コンピュータから引き出された情報に基づいて、前記エアゾール製品が仕分けられ、エアゾール製品に関する情報が確認できる情報ラベルが設けられた専用パッケージに梱包される工程、（ｖ）前記梱包されたエアゾール製品が、前記回収ステーションから前記廃棄ステーションに配送される工程および（vi）前記エアゾール製品が前記廃棄ステーションで廃棄処理される工程を実行することを特徴とする。
【００１７】
【発明の実施の形態】
つぎに図面を参照しながら本発明の製品の廃棄方法および廃棄システムをさらに詳細に説明する。図１は本発明の製品の廃棄方法および廃棄システムの一実施の形態を概略的に示す説明図、図２は本発明の製品の廃棄方法および廃棄システムに用いられる梱包用パッケージの一例を示す概略斜視図、図３は図２のパッケージ内部のエアゾール製品の保持状態を示す断面説明図および図４は本発明の製品の廃棄方法および廃棄システムに用いられる配送用トラックの一例を示す切欠正面図である。
【００１８】
図１に示されるエアゾール製品などの製品の廃棄システムは、消費者から不要になったスプレー缶などのエアゾール製品やカセットコンロなどに使用されるガス容器を回収するために所定の地域ごとに設置されたコンビニエンスストアなどの店（回収ステーション）２と、エアゾール製品を廃棄処理するための産廃業者の廃棄処理場所などの廃棄ステーション３と、店２から廃棄ステーション３へエアゾール製品を配送するためのトラックなどの配送手段とから構成されている。
【００１９】
図１の廃棄システムを用いて、消費者１が所有する不要になったエアゾール製品を廃棄する場合、まず、消費者１が不要になったエアゾール製品を所望の店２に、少なくとも配送代金および処理代金とともに持ち込む（図１矢印Ａ参照）ことにより、不要になったエアゾール製品を回収する。エアゾール製品はメーカーから小売店、さらに消費者へ渡るときには、製品は完全に梱包され、配送途中で誤って噴射されたり、容器が変形するなどの惧れがない。
【００２０】
しかし、一旦消費者の手に渡ると、カバーキャップを紛失したり、製品を落下させるなどにより容器が変形している場合（図３（ｂ）参照）があり、店（回収ステーション）２に持ち込まれたまま配送すると危険な場合がある。そこで、店（回収ステーション）２において、持ち込まれたエアゾール製品の種類や外観（キャップや噴射ボタンの有無など）の確認を行なう（好ましくは対人の状態で）。ついで、エアゾール製品の種類や外観に応じてエアゾール製品が安全に送られるように、専用のパッケージ４に梱包する。パッケージ４の上面などには、エアゾール製品に関する情報（内容物の成分など）が確認できる情報ラベル５が設けられている（図２参照）。
【００２１】
たとえば、キャップがないエアゾール製品６の場合は、配送中に噴射ボタン７が押されて噴射しないように製品の肩部６ａを固定する頂部カバー８を取り付け、頂部を保護する（図３（ａ）、（ｂ）参照）。エアゾール製品６の底部は、図３（ａ）に示される底部カバー９によって固定すればよいが、図３（ｂ）に示されるように、変形しているエアゾール製品６の場合は、容器の耐圧強度が低下しているため、配送中に容器に衝撃を与えないよう、容器の周囲をスポンジなどからなる容器カバー１０で覆う。
【００２２】
そののち、梱包されたエアゾール製品を廃棄ステーション３へ配送する。配送手段としては、図４に示されるトラック１１のように、輸送中のエアゾール製品１２の可燃性の噴射剤が漏洩や誤った噴射などによりコンテナ１３内部に滞留しないように、コンテナ１３の壁面に形成された通気孔１４を通して風通しがあり、火気のないもの、さらには、エアーコンディショナー１５（室温、湿度調整機能を有する）を備えることが好ましい。
【００２３】
最後に、廃棄ステーション３に送られたエアゾール製品６は、製品ごとに分別され廃棄処理される。
【００２４】
このようにコンビニエンスストアなどの店２から廃棄ステーション３へ配送するようにしたことにより、消費者は手軽にエアゾール製品を廃棄することができ、また処理する側にとっては不要になったエアゾール製品を消費者１から容易かつ確実に回収して廃棄することができる。
【００２５】
しかも、店２でエアゾール製品を回収するときに有料で回収することにより、消費者１に配送代金および処理代金などを含めた費用を確実に負担させることができる。また、消費者１と廃棄ステーション３とのあいだに店２が介在されているため、消費者１に廃棄ステーション３についての連絡先などの情報を知られる惧れがなく、消費者１が廃棄ステーション３へ直接持ち込んだり、着払いで配送されることが防止できる。
【００２６】
また、店２から廃棄ステーション３へエアゾール製品を配送する前に、配送されるエアゾール製品がどのような製品であるかを確認し、さらに外部からわかるように、すなわち適切な処理方法や処理効率といった観点からエアゾール製品を分類し当該エアゾール製品を店２で梱包（または所定のカートに収容）して梱包材（またはカート）の外面に所定のバーコードやタグをつけて管理すれば、不明な製品の配送や製品の混載を防止することができ、配送や廃棄処理時の安定性を向上することができる。
【００２７】
なお、本実施の形態では回収ステーションとして、コンビニエンスストアなどの店を例にあげて説明したが、本発明はこれに限定されるものではなく、ドラッグストア、スーパーマーケット、学校、病院、百貨店、宅配や引越しなどの運送業者なども回収ステーションとして用いることができる。
【００２８】
また、エアゾール製品の情報（可燃性原液であるとか、噴射剤を何％以上含んでいるなど、製品を安全に配送、廃棄するための分別に必要な情報）、具体的にはＭＳＤＳ（化学物質安全性データ）をバーコードなどでコード化した情報コードをエアゾール製品やパッケージに印刷、シールなどによって添付し、この情報コードを配送手段に設けられた公知のバーコード読取手段などで機械的に読み取り、読み取った情報をコンピュータに入力し、コンピュータから情報を引き出して、公知の仕分け用コンベアなどで選別するようにしてもよい。かかる構成により、配送および廃棄処理における安全性が向上し、かつ廃棄ステーションにおける選別作業も不要になる。
【００２９】
前記ＭＳＤＳ（化学物質安全性データ）は、前記エアゾール製品の内容についての物質名、化学式、整理番号、危険性と有害性の分類、人体に吸引したときなどの応急措置、火災時の措置、取扱いと保管上の注意、物理化学的性質、危険性情報、環境影響情報、廃棄上の注意、輸送上の注意および適用法令などの群から選ばれた少なくとも一種からなるのが好ましい。
【００３０】
【発明の効果】
本発明によれば、不要になったエアゾール製品を安全かつ確実に廃棄処理することができ、しかも廃棄処理にかかる費用を消費者に確実に負担させることができる。
【図面の簡単な説明】
【図１】本発明の製品の廃棄方法および廃棄システムの一実施の形態を概略的に示す説明図である。
【図２】本発明の製品の廃棄方法および廃棄システムに用いられる梱包用パッケージの一例を示す概略斜視図である。
【図３】図２のパッケージ内部のエアゾール製品の保持状態を示す断面説明図である。
【図４】本発明の製品の廃棄方法および廃棄システムに用いられる配送用トラックの一例を示す切欠正面図である。
【図５】従来のエアゾール製品の流通形態を示す説明図である。
【符号の説明】
１  消費者
２  店
３  廃棄ステーション
【図１】
0004444433.tif 000002
【図２】
0004444433.tif 000003
【図３】
0004444433.tif 000004
【図４】
0004444433.tif 000005
【図５】
0004444433.tif 000006